(57)【要約】【課題】インクジェットプリントヘッドを洗浄するための方法及び洗浄液、このタイプの洗浄液の使用、インクジェットプリントヘッドを動作させるための方法を提供すること。【解決手段】インクジェットプリントヘッドを洗浄する際、少なくとも１種のセルラーゼ又はそれらの触媒活性誘導体を含む第１の洗浄液が提供される。汚染及び／又は閉塞されたインクジェットプリントヘッド（１２）は、この第１の洗浄液を使用して洗浄される。【選択図】図１
2013241011.tif 000002
【特許請求の範囲】
【請求項１】
インクジェットプリントヘッド（１２）を洗浄するための方法において、
少なくとも１種のセルラーゼ又はそれらの触媒活性誘導体を含む第１の洗浄液を提供する工程と、
汚染及び／又は閉塞されたインクジェットプリントヘッド（１２）を提供する工程と、
前記第１の洗浄液を使用して前記プリントヘッド（１２）を洗浄する工程と
を含む方法。
【請求項２】
第２の洗浄液を提供する追加の工程、及び前記第２の洗浄液を使用して前記プリントヘッドをすすぐ追加の工程を含むことを特徴とする、請求項１に記載の方法。
【請求項３】
前記第２の洗浄液を使用してすすぐ工程が、前記第１の洗浄液を使用して洗浄する工程の後に続くことを特徴とする、請求項２に記載の方法。
【請求項４】
前記第２の洗浄液が、セルラーゼ又はその触媒活性誘導体を含有しないことを特徴とする、請求項２又は請求項３のいずれかに記載の方法。
【請求項５】
前記第１の洗浄液を使用して洗浄する工程が、５℃〜６０℃の範囲内の温度、好ましくは、４０℃〜５０℃の範囲内の温度で実施されることを特徴とする、請求項１から４のいずれか一項に記載の方法。
【請求項６】
前記第１の洗浄液が、前記第１の洗浄液を使用して前記プリントヘッド（１２）を洗浄した後に、前記プリントヘッドから除去されることを特徴とする、請求項１から５のいずれか一項に記載の方法。
【請求項７】
前記少なくとも１種のセルラーゼ又はそれらの触媒活性誘導体が、前記第１の洗浄液が除去されるのと同時に、前記プリントヘッドから除去されることを特徴とする、請求項６に記載の方法。
【請求項８】
前記第１の洗浄液を使用して前記プリントヘッド（１２）を洗浄した後、第３の洗浄液を提供する工程、及び、前記第２の洗浄液を使用して前記プリントヘッドをすすぐ工程を含むことを特徴とする、請求項１から７のいずれか一項に記載の方法。
【請求項９】
汚染及び／又は閉塞されたインクジェットプリントヘッドを洗浄するための洗浄液であって、
−  少なくとも１種の界面活性剤と、
−  蒸留水と、
−  イソプロパノールと、
−  インクジェットプリントヘッド（１２）において蓄積するインクと紙粉との混合物を溶解させるように構成された少なくとも１種のセルラーゼ又はそれらの触媒活性誘導体と、
を少なくとも含有する洗浄液。
【請求項１０】
前記洗浄液が、セルラーゼ又はそれらの触媒活性誘導体に加えていかなる他の酵素も含まないことを特徴とする、請求項９に記載の洗浄液。
【請求項１１】
洗浄液１００重量％に基づいて、
−  ５５重量％〜９５重量％の蒸留水と、
−  ３重量％〜３０重量％のイソプロパノールと、
−  １．９重量％〜１２重量％の界面活性剤と、
−  ０．１重量％〜３重量％のセルラーゼと
を含有することを特徴とする、請求項９又は１０に記載の洗浄液。
【請求項１２】
ｐＨ調整剤、緩衝剤、錯化剤、保存剤、乳化剤及び湿潤剤、及び追加の溶媒から選択される少なくとも１つの追加の添加剤をさらに含むことを特徴とする、請求項９から１１のいずれか一項に記載の洗浄液。
【請求項１３】
インクジェットプリントヘッド（１２）を処理及び／又は洗浄するための、少なくとも１種のセルラーゼ又はそれらの触媒活性誘導体を含む洗浄液の使用。
【請求項１４】
インクジェットプリントヘッド（１２）を動作させるための方法において、
インクジェットプリントヘッド（１２）を提供する工程と、
前記インクジェットプリントヘッド（１２）を使用してインクで１つ又は複数の記録媒体（１０）を印刷する工程と、
少なくとも１種のセルラーゼ又はそれらの触媒活性誘導体を含む第１の洗浄液を提供する工程と、
前記第１の洗浄液を使用して前記インクジェットプリントヘッド（１２）を洗浄する工程と
を含む方法。
【発明の詳細な説明】
【技術分野】
【０００１】
本発明は、インクジェットプリントヘッドを洗浄するための方法に関する。本発明はさらに、洗浄液及びこのタイプの洗浄液の使用に関する。
【背景技術】
【０００２】
１つ又は複数のプリントヘッドを備える、インクジェットプリンタとも呼ばれることが多いインクプリンタは、一般に公知であり、例えば、個人用パンフレットを作成するためのトランザクション印刷において使用される。例えば、紙を交換するために又はスタート−ストップ動作において印刷動作が中断される際には、プリントヘッドの出口領域を汚染し、それに伴って個々の出口開口部を閉塞するインク残渣のリスクがある。したがって、このタイプのインクジェットプリンタを使用する際に高い印刷品質を提供するためには、前記プリンタのプリントヘッドは、定期的な間隔で且つプリンタの状態に応じて洗浄されなければならない。特に、しばらくの間使用されていなかったインクジェットプリンタを始動する前に、プリントヘッドのノズルを洗浄することが重要である。
【０００３】
本発明は特に、インクジェットプリンタヘッド、特に、紙粉及びインク残渣が蓄積した、このタイプのインクジェットプリンタヘッドを有効に洗浄するための方法に関する。インクと紙粉との混合物によって閉塞されたこのようなインクジェットプリントヘッドノズルが再び完全に機能的になり、インクジェットプリンタにおいて高品質を保証するために、前記ノズルは洗浄されなければならない。この場合において洗浄のために実行可能な様々な事柄がある：
−  インクジェット印刷システムからのインクを使用して、プリンタ内部で、プリントヘッド及び／又はその中に備わったノズルをすすぐこと。プリントヘッド、及び、この場合特にプリントヘッドの出口開口部を完全にすすぐことは、「パージング」として一般に公知である。
−  すすぎ圧力を上昇させ且つ／又はすすぎ時間を延長して、及びこれらをしないで、標準的な洗浄液を使用してプリンタの内部又は外部でプリントヘッドをすすぐこと。標準的な洗浄液は一般的に、インクジェットプリンタインクの製造者によって提供されている。
−  リントフリー布及び標準的な洗浄液を使用して手作業で洗浄すること。
【０００４】
米国特許第６１６４７５２号には、インクプリントデバイスが記載されており、このデバイスにおいては、プリントヘッドを完全にすすぐために、プリントヘッドは、すすぎ位置に最初に配置され、この位置ですすぎ用キャップ（rinsing cap）が出口ノズルを覆う。次いで、インクは、吸引キャップを介してパルス状の陰圧を印加することによって、ノズルを通じて吸引される。
【０００５】
米国特許第７１１８１８９号Ｂ２には、インクプリントデバイス用のすすぎデバイスが記載されており、このデバイスにおいては、インクは、インク供給ライン内に配置されたインク押し出しバルブ（ink squeezing valve）によってパルス様式でノズルを通じて押し出される。
【０００６】
前記方法を使用しても、汚染物質及び閉塞物質をプリントヘッドのノズルから十分に洗浄することができないということが、上述した方法すべてに共通している。紙粉は閉塞物質の安定性を増大させるので、一般にインクと紙粉との混合物からなる閉塞物質を、容易にノズルからすすいで除くことができないことも問題となる。
【０００７】
界面活性剤又は同様の洗剤物質を含む従来の洗浄剤は、インクに結合し、したがってインクを一掃することができる。しかし、紙粉とインクとの組合せは、このタイプの洗浄剤を使用して除去することができず、又は十分に除去することができない。
【先行技術文献】
【特許文献】
【０００８】
【特許文献１】米国特許第６１６４７５２号
【特許文献２】米国特許第７１１８１８９号Ｂ２
【発明の概要】
【発明が解決しようとする課題】
【０００９】
したがって、本発明によって対処される問題は、インクジェットプリンタの閉塞されたノズル、特に、紙粉とインクとの組合せによって生じた閉塞物質を有効に洗浄するというものである。
【課題を解決するための手段】
【００１０】
本発明によれば、この問題は、請求項１の特徴を有する方法によって、及び／又は請求項６の特徴を有する洗浄液によって、及び／又は請求項１０の特徴を有する使用によって、及び／又は請求項１４の特徴を有する方法によって解決される。
【００１１】
したがって、以下のことが提供される。
−  インクジェットプリントヘッドを洗浄するための方法において、少なくとも１種のセルラーゼ又はそれらの触媒活性誘導体を含む第１の洗浄液を提供する工程と、汚染及び／又は閉塞されたインクジェットプリントヘッドを提供する工程と、第１の洗浄液を使用してプリントヘッドを洗浄する工程とを含む方法。本発明はさらに、洗浄液、及びこのタイプの洗浄液の使用に関する。
−  少なくとも１種の界面活性剤と、蒸留水と、イソプロパノールと、インクジェットプリントヘッドに蓄積するインクと紙粉の混合物を溶解させるように構成された少なくとも１種のセルラーゼ又はそれらの触媒活性誘導体とを少なくとも含有する、汚染及び／又は閉塞されたインクジェットプリントヘッドを洗浄するための洗浄液。
−  インクジェットプリントヘッドを処理及び／又は洗浄するための、少なくとも１種のセルラーゼ又はそれらの触媒活性誘導体を含む洗浄液の使用。
−  インクジェットプリントヘッドを動作させるための方法であって、インクジェットプリントヘッドを提供する工程と、インクジェットプリントヘッドを使用してインクで１つ又は複数の記録媒体を印刷する工程と、少なくとも１種のセルラーゼ又はそれらの触媒活性誘導体を含む第１の洗浄液を提供する工程と、第１の洗浄液を使用してインクジェットプリントヘッドを洗浄する工程とを含む方法。
【００１２】
本発明の方法によって、インクジェットプリントヘッドを有効に洗浄することが可能である。プリントヘッドは、特に、（最初に述べた）これまでに使用された方法によって再生することができなかったプリントヘッドでさえ、極めて有効に再生され得る。
【００１３】
さらに、本発明の方法によって、プリントヘッドの平均耐用年数を延長させることも可能である。
【００１４】
本方法はまた、セルラーゼ又はその触媒活性誘導体を用いない方法と比較すると、洗浄液を節約する。これは、セルラーゼ又はその触媒活性誘導体は、プリントヘッド内の紙堆積物を有効に処理し、溶解させることができ、その結果、後続のさらなる洗浄の間に、残っている残渣も容易に除去することができるためである。本方法を使用して、完全なすすぎがもはや可能でないプリントヘッドを容易に洗浄することも可能であり、その理由は、セルラーゼが紙中のセルロースを分解することによる、セルラーゼ又はその触媒活性誘導体の作用によって、紙閉塞物質が分解されるためである。結果として、相対的に小さい、残っている成分を容易にすすぎ出すことができる。
【００１５】
有利な構成及び展開は、追加の従属請求項から、及び図面の図を参照した本説明から明らかとなる。
【００１６】
本発明を、図面の１つの図を参照して、以下においてより詳細に説明する。
【図面の簡単な説明】
【００１７】
【図１】本発明の方法を使用することができる例示的な印刷システムのブロック図である。
【発明を実施するための形態】
【００１８】
添付の概略図は、本発明の理解を促すことを意図したものである。これは、実施形態を示し、本説明とともに、本発明の原理及び概念を説明する役割を果たす。他の実施形態及び述べられる利点の多くは、図面を参照して明らかとなる。図面の各要素は、必ずしも縮尺通りに示されているとは限らない。
【００１９】
実施形態の記載
本発明は、インクジェットプリントヘッドを洗浄するための方法に関し、プリントヘッドは、少なくとも１種のセルラーゼ又はそれらの触媒活性誘導体を含む洗浄液を使用して洗浄する間に処理される。したがって、特に紙粉によって少なくとも閉塞されているインクジェットプリントヘッドは、それによって洗浄することができる。
【００２０】
セルラーゼ又はその触媒活性誘導体の起源は、この場合、いずれの特定の制限にも支配されず、微生物、例えば、細菌、真菌（例えば糸状菌）、又は一般に公知である他の生物などに由来し得る。セルラーゼは、紙の主成分であるセルロースを、その基本単位のβ−グルコースに分解することができる酵素である。セルラーゼの群は、３つの異なるタイプの酵素、すなわち、エンドグルカナーゼ、エキソグルカナーゼ、及びβ−グルコシダーゼとも呼ばれるセロビアーゼを含み、これらは共同してセルロースの前記分解を実施する。
【００２１】
本発明のためには、紙粉中に含まれるセルラーゼは、より小さい断片に、好ましくはより短いセルロース鎖に分解されることが好適である。いくつかの方法では、セルロースがセロビオースに分解されることも好適である。いくつかの他の方法では、セルロースは、β−グルコースに分解されることが好適である。
【００２２】
セルラーゼの触媒活性誘導体は、セルラーゼに由来する誘導体、例えば、セルラーゼのアルカリ塩又はアルカリ土類塩などの塩であり、この塩はさらに、反応によって誘導体を形成した後、例えば、紙粉中のセルロース及び同様の物質の分解を触媒することができる。
【００２３】
本発明の方法では、セルロースを用いた処理は、セルロースが十分に分解されるのに適切な継続時間にわたって実施されることが好適である。いわゆる処理時間又は洗浄時間は、この場合、例えば、使用されるセルロース又はセルロース若しくはその誘導体の組合せのタイプ、温度、溶液のｐＨ値、及び、必要であれば他の要因に基づく。他の要因は、例えば、紙閉塞物質の密度の目安である、セルラーゼが紙粉を攻撃する可能性、すなわち、紙粉の攻撃可能な表面であり得る。さらに、紙粉上に収集されたインク粒子又は他の流体もこの時間に影響する場合があり、その理由は、これらが洗浄液によって最初に溶解されなければならないためである。
【００２４】
処理が、セルラーゼ若しくはその触媒活性誘導体、又はセルラーゼ及び若しくは誘導体の組合せが最適な触媒活性を有する温度で実施されることも好適である。ある特定の実施形態では、処理は、５℃〜６０℃の範囲内の温度で実施される。好ましくは、処理は、１５℃〜５０℃の範囲内の温度で実施される。
【００２５】
さらに、処理は、セルロース、その触媒活性誘導体、又はセルラーゼと誘導体との組合せが最適な触媒活性を有するｐＨ値で実施されることが好ましい。この場合、処理は、洗浄剤が接触するプリントヘッドのノズル並びにプリントヘッド及び場合によりプリンタの他の構成要素に有害でないｐＨ値で実施されることが好適である。したがって好ましくは、処理は、５〜９のｐＨ値で実施される。特に好ましくは、処理は、６〜８のｐＨ値で実施される。ｐＨ値は、必要であれば、ｐＨ調整剤及び／又は緩衝剤によって適切に設定することができる。
【００２６】
好適な実施形態では、第２の洗浄液を使用するすすぎ工程も、少なくとも１種のセルラーゼ又はそれらの触媒活性誘導体を含む洗浄液を使用する処理工程に付随する。このすすぎ工程によって、軟化した紙粉がノズルからすすぎ出される。特に好ましくは、第２の洗浄液は、セルラーゼ又はそれらの触媒活性誘導体を含有しない。その理由は、この第２の洗浄液は、紙粉のさらなる処理を実施する必要がまったくないためである。むしろ、第２の洗浄液は、汚染物質を単に洗い流すのに使用される。例えば、プリントヘッド用の標準的な洗浄溶液、水、イソプロパノール、又は水とイソプロパノールとの混合物を、第２の洗浄液として使用することができる。これらの物質は、先の洗浄工程の効力に応じて、界面活性剤と場合により混合することができる。
【００２７】
さらに、本発明は、少なくとも１種のセルラーゼ又はそれらの触媒活性誘導体、少なくとも１種の界面活性剤、蒸留水及びイソプロパノールを含むインクジェットプリントヘッド用洗浄液に関する。この場合、蒸留水は、例えば、紙粉を軟化させるため、及びセルラーゼを紙粉に搬送する目的で使用される。さらに、水は、インクの成分を既に溶解していることも可能である。さらに、イソプロパノールは、インク成分を溶解させる。さらに、界面活性剤は、汚染物質、すなわち紙粉及びインク残渣上での水又はイソプロパノールの濡れを改善するのに使用される。特に、本発明の洗浄液は、インクをまったく含まず、また、これがインクジェットプリントヘッドを洗浄するのに使用される前、又はインクジェットプリントヘッドを動作させるのに使用される前に、インクと混合されない。
【００２８】
任意の界面活性剤を、それらが汚染物質上での水又はイソプロパノールの十分な濡れを保証する限り、洗浄液用に使用することができる。非イオン性界面活性剤、及び場合により陽イオン性界面活性剤も好適である。界面活性剤の組合せも使用することができる。
【００２９】
洗浄剤は、好ましくは、洗浄液１００重量％に基づいて、５５〜９５重量％の蒸留水、３〜３０重量％のイソプロパノール、１．９〜１２重量％の界面活性剤、及び０．１〜３重量％のセルラーゼを含有する。
【００３０】
上述した成分に加えて、追加の添加剤、例えば、ｐＨ調整剤、緩衝剤、錯化剤、保存剤、乳化剤、湿潤剤、及び追加の溶媒も洗浄液中に含有され得る。
【００３１】
ｐＨ調整剤は、セルラーゼ若しくはその触媒活性誘導体又はこれらの組合せにとって理想的なｐＨ値が設定されることを保証する。その例は、一般的な酸及び塩基、例えば、酢酸、クエン酸、塩酸、アンモニア、炭酸水素ナトリウム及び水酸化ナトリウムである。
【００３２】
例えば、炭酸塩緩衝液又はリン酸塩緩衝液を、セルラーゼ若しくはその触媒活性誘導体又はこれらの組合せに適したｐＨ値を維持するための緩衝剤として使用することができる。
【００３３】
錯化剤は、例えば、インクの成分に結合することができ、この成分は、さもなければ追加の汚染物質と一緒に前記成分の沈殿を引き起こし得る。このタイプの錯化剤には、例えば、ＥＤＴＡ又は様々なクラウンエーテルが含まれる。
【００３４】
さらに、乳化剤及び湿潤剤は、界面活性剤の作用機序をさらに増強させることができる。さらに、前記乳化剤及び湿潤剤はまた、汚染物質のある特定の成分が、除去された後に溶液中に残り、閉塞物質に再び付着しないことを保証することができる。
【００３５】
例えばプロピレングリコールエーテルは、さらなる溶媒として考慮に入れられる。
【００３６】
さらに、洗浄剤は、それらがより長い期間使用可能なままであるように、保存剤も含有することができる。
【００３７】
好適な実施形態では、洗浄液は、セルラーゼ又はそれらの触媒活性誘導体に加えていかなる他の酵素も含まない。その理由は、前記酵素は、洗浄剤をより高価にしてしまうためである。さらに、ある特定の実施形態では、閉塞物質が紙粉から主に構成されているなどの場合では、閉塞物質は、セルラーゼによって有効に分解され得るので、追加の酵素を使用することによって、プリントヘッドの洗浄作用のさらなる改善は、まったく実現され得ない。
【００３８】
さらに、本発明は、インクジェットプリントヘッドを処理及び／又は洗浄するための、少なくとも１種のセルラーゼ又はそれらの触媒活性誘導体を含む洗浄液の使用に関する。
【００３９】
本発明の方法及び洗浄液を使用して、閉塞物質を有する任意のインクジェットプリントヘッドを洗浄することができる。
【００４０】
例示的なインクジェット印刷システムにおけるプリントヘッドを図１に示す。図１によれば、記録媒体１０を印刷するためのインクプリンタは、１つ又は複数のプリントヘッド１２を備える。プリントヘッド１２は、１つ又は複数のノズルを含み、これを通じてインクの液滴が、例えば、圧電素子を介して水圧を生じさせることによって、必要に応じて記録媒体１０に向けて排出される。高性能プリンタでは、前記プリントヘッド１２は、通常、記録媒体１０の幅全体にわたって固定された様式で配置されており、一方、記録媒体１０は、プリントヘッド１２の下を通って移動する。
【００４１】
プリントヘッド１２は、記録媒体１０の幅全体にわたって延在し得る。複数のプリントヘッド１２は、接続されることによって、いわゆる押さえ棒も形成することができ、次いで、これらのヘッドはそれぞれ、記録媒体１０の輸送方向に直角に印刷ラインを形成する。図１によれば、４つのプリントヘッド１２が１本の押さえ棒を形成する。複数の押さえ棒が提供される場合、色（例えば、黄色、マゼンタ、シアンブルー及び黒色；ＹＭＣＫ）を、それぞれの押さえ棒によって印刷することができる。図１では、すべての押さえ棒は、同じインク供給部に取り付けられており、したがって、印刷は、単一色で実施されるにすぎない。したがって、印刷解像度がより高くなり得、又は１本若しくは２本の押さえ棒を安全性のために提供することができ、次いで、これらのノズルを通じて、インクが、同じ印刷ドット用の平行な押さえ棒のノズルが遮られる際に排出される。
【００４２】
プリントヘッド１２の数、及び表面積当たりのその中に位置されたノズルの数（及び、場合により、わずかにずれた並列のプリントヘッド）は、プリントヘッド１２又はこのタイプの押さえ棒が印刷することのできる解像度を規定する。
【００４３】
新鮮なインクが、ポンプ１６によって交換式インク貯蔵容器１４から引き出され、バッファリング容器（buffering container）１８に搬送される。バッファリング容器１８内には、空のインク貯蔵容器１４が満杯の容器と交換される際でも、インクが印刷プロセスを継続することを可能とするために、常に十分なインクが存在するべきである。
【００４４】
ごみ粒子が濾過されるフィルタ２０を介して、インクは、追加のポンプ２２によって中間インク容器３０に必要に応じてポンプ搬送され、この中間容器のインクレベルは、所定レベルに概ね維持される。インクは、この中間インク容器３０から分配タンク２４を介して、印刷するために個々のプリントヘッド１２に後に供給される。
【００４５】
チューブ又はホースシステムがインクを搬送するのに使用され、このシステムは、チューブ又はホースから構成されている。公知の接続、例えば、ソケット接続、ねじ込み接続又は形状部品などが、チューブ又はホースを相互接続するのに使用される。取付具、例えば、玉形弁及び仕切弁などが、遮断部材及び制御部材として使用される。次いで、インクは、要求される場合、すなわち、インクレベルがバッファリング容器１８又は中間インク容器３０内で所定のインクレベルを下回る場合、常に１つのステーションから次のステーションに搬送される。
【００４６】
新鮮なインクは、管状インク入口３１（中間インク容器３０へのフィードチューブ又はホース）を介して中間インク容器３０に供給される。インクは、インク出口３２を介して必要に応じて中間インク容器３０から取り出され、分配タンク２４を介してプリントヘッド１２に供給される。
【００４７】
プリントヘッド１２内でキャビテーション（気泡）が形成しないように、インクは、中間インク容器３０から連続的に取り出され、脱気デバイス２６に供給され、脱気ポンプ２８を介して中間インク容器３０に送り戻される。したがって、インクは、脱気回路内で連続的に搬送される。このプロセスでは、インクは、脱気デバイス２６を通じて流れ、それによって、気体がインクから発散され、すなわち、インクが脱気される。発散したガスは、外に追い出すことができる。
【００４８】
脱気デバイス２６は、印刷の間だけでなく、印刷が中断している間も、プリントヘッド１２を洗浄する間も、アクティブであることが意図されている。
【００４９】
さらに、レベルセンサ３９が中間インク容器３０内に配置されており、このセンサは、インクレベルを測定し、インクの量が少なすぎる場合（インクレベルが制限値を下回る場合）、前記センサは、新鮮なインクがバッファリング容器１８を介して中間インク容器３０に供給されるように促す。キャビテーションによる印刷品質の低下がないように、中間インク容器３０内に十分に脱気されたインクが常に存在しなければならない。
【００５０】
中間インク容器３０内のインクは過剰圧力下にあり、その結果、インクを十分な圧力でプリントヘッド１２に輸送することができる。過剰圧力は、約０バール〜２バールの過剰圧力を発生させることができる圧力ポンプ４０を介して発生される。インクが、ノズルの洗浄、脱気、又はプリントヘッド１２の充填の目的で、中間インク容器３０からプリントヘッド１２にポンプ搬送される場合、これは、最大２バールの過剰圧力で行われる。印刷動作自体の間は、中間インク容器３０内は大気圧（約０バール）となっている。
【００５１】
アイドル状態のとき又は印刷動作の間、プリントヘッド１２内のインクそれ自体は、わずかな陰圧下にある。望まれない様式で漏れるインク液滴は印字図形を損なうので、プリントヘッド１２又はノズル導管からのインクの漏れ又は意図されない排出は、こうして防止される。このわずかな陰圧は、中間インク容器３０内のインクレベルの高さ／レベルがプリントヘッド１２内のインクレベル未満であるために生じる。したがって、中間インク容器３０は、「背圧タンク」とも呼ばれる。
【００５２】
特に、プリントヘッド１２内のノズルの出口開口部を洗浄するために、プリントヘッド１２は、洗浄位置（図示せず）へと移動され、又は、代わりにプリントヘッド１２は、これらの「書き込み位置」付近に残っていることもでき、次いで、保護をもたらしインク用収集盆（collection basin）として作用するキャップ（図示せず）がノズル開口部の上に配置される。次いで、後続のすすぎプロセスにおいて、インクは、ノズル導管を通じて中間インク容器３０からすすぎ出される。
【００５３】
これは、アイドル状態のとき（ノズルが長期間使用されていない場合）にインクの粘度が上昇するためにノズル導管が閉塞された状態になるのを防止する。この場合、ノズル出口開口部を閉塞又は狭くする、存在する任意の粒子又は固化しつつあるインクの凝集塊がすすぎ出される。
【００５４】
インクは、導管の予想される汚染物質を除去するために、ノズル導管から吸引することもでき、又はノズル導管内に押し出すことができる。
【００５５】
洗浄のために、プリントヘッドを、本発明の方法を使用して又は本発明の洗浄液を使用して洗浄することができる。一方では、これは、少なくとも１種のセルラーゼ又はそれらの触媒活性誘導体を含み、システム及びプリントヘッドを通ってすすがれる洗浄液によって行うことができる。他方では、プリントヘッドは、例えば、システムから取り出された後、手作業で個々に洗浄することもできる。この場合、プリントヘッドは、少なくとも１種のセルラーゼ又はそれらの触媒活性誘導体を含む洗浄液中に置かれる。あるいは、プリントヘッドは、少なくとも１種のセルラーゼ又はそれらの触媒活性誘導体を含む洗浄液で浸された綿棒を使用して手作業で洗浄することもできる。
【００５６】
したがって、本発明は、インクジェットプリントヘッド１２を動作させるための方法において、後により詳細に説明される、
インクジェットプリントヘッド１２を提供する工程と；
インクジェットプリントヘッド１２を使用してインクで１つ又は複数の記録媒体１０を印刷する工程と；
少なくとも１種のセルラーゼ又はそれらの触媒活性誘導体を含む第１の洗浄液を提供する工程と；
第１の洗浄液を使用してインクジェットプリントヘッド１２を洗浄する工程と
を含む方法も含む。
【００５７】
ある特定の実施形態では、インクジェットプリントヘッド１２は、前記プリントヘッドが汚染又は閉塞されたとき、洗浄液を使用して洗浄される。インクジェットプリントヘッド１２の汚染又は閉塞は、例えば記録媒体１０上の印刷品質の低下の場合でも外観によって、又は対応して配置されたセンサなどの適切に配置された汚染及び／若しくは汚れ検出システムを使用して自動的に、インクジェット印刷システム内で特定することができる。洗浄は、インクジェット印刷システム内の複数のインクジェットプリントヘッド１２において、好ましくは、個々のインクジェットプリントヘッド１２の汚染又は閉塞に応じて、同時に又は異なる時に行うこともできる。
【００５８】
したがって、インクジェットプリントヘッド１２を動作させるための本発明の方法は、インクジェットプリントヘッド１２を洗浄するための本発明の方法を包含し、したがって、インクジェットプリントヘッド１２を洗浄するための本方法のすべての好ましい実施形態も包含することができる。
【００５９】
すすぎプロセス及び洗浄プロセスは、インク及び／又は少なくとも１種のセルラーゼ若しくはそれらの触媒活性誘導体を含む洗浄液が、衝撃波で、過剰圧力下で出口開口部を備えるノズルを通じて完全にすすがれる場合、特に有効であることが証明された。プリントデバイスは、この目的のためのすすぎ／洗浄デバイスを含む。前記すすぎ／洗浄デバイスは、プログラム制御式制御デバイス４１を備え、これは、制御ラインを介して圧力ポンプ４０及びレベルセンサ３１に一方の側で接続されている。制御デバイス４１は、プログラム制御式評価デバイス４２及び制御弁４３に他方の側で接続されている。さらに、走査デバイス４４をプリントヘッド１２の領域に配置することができ、この走査デバイスは、ノズル１２の出口開口部の汚れを検出し、汚れの程度を評価デバイス４２に通知するのに使用される。走査デバイスは、例えば米国特許第６３２４３５３号Ｂ１から知られている、例えば市販の光走査デバイスである。
【００６０】
ノズル１２の汚れ並びに同時に予想される流れ障害及び動作不良を検出するために実行可能なさらなる事柄は、記録媒体（紙１０）の領域内に追加の走査デバイス４５を配置することにある。この追加の走査デバイス４５は、印刷文字の印刷品質を検出し、評価デバイス４２に通知するように構成されており、次いでこの評価デバイスは、印刷品質からノズル１２の汚れの程度を計算する。
【００６１】
この光走査デバイス４５は、例えば米国特許第６６６５４２４号Ｂ１に従って設計することができる。１つ又は複数のノズルの破損も、この走査デバイスによって検出することができる。
【００６２】
プリンタ内で洗浄する間、セルラーゼ又はその触媒活性誘導体が、後続の印刷の間、システム内にもはや存在しないことも有利であり、その理由は、さもなければ記録媒体が、印刷後に分解される可能性があるためである。この点において、好適な実施形態では、少なくとも１種のセルラーゼ又はそれらの触媒活性誘導体、すなわち第１の洗浄液は、洗浄後かつ印刷前にインクジェットプリントヘッド１２内に存在しない。
【００６３】
これは、このタイプの実施形態では、第１の洗浄液を使用してプリントヘッド１２を洗浄した後、第１の洗浄液はプリントヘッドから除去されることを意味する。特に好ましくは、この場合、少なくとも１種のセルラーゼ又はそれらの触媒活性誘導体も同時にプリントヘッドから除去される。
【００６４】
あるいは、少なくとも１種のセルラーゼ又はそれらの触媒活性誘導体は、追加の洗浄液を使用してすすぐことによって後続の印刷の前に除去することができる。この場合、この追加の洗浄液は、第２の洗浄液又は別の第３の洗浄液とすることができる。
【００６５】
したがって、洗浄の間、プリントヘッド１２が第２の洗浄液で最初にすすがれ、次いで第１の洗浄液を使用して洗浄され、その後、第３の洗浄液が供給され、プリントヘッド１２が第３の洗浄液を使用してすすがれることを排除しない。この場合、第３の洗浄液は、第１又は第２の洗浄液として構成することができ、これは、好ましくはセルラーゼ又はその触媒活性誘導体をまったく含まない。
【００６６】
さらに、なおさらなるすすぎ工程が、第１の洗浄液を使用して洗浄する前又は後に実施されることは、本発明によって排除されない。
【実施例】
【００６７】
セルラーゼを含有する洗浄液を使用して、紙粉及びインク残渣で閉塞されたインクジェットプリントヘッドが洗浄された。このようにして閉塞物質を除去し、プリントヘッドのノズルを洗浄することが可能であった。
【００６８】
比較例：
同様に閉塞されたインクジェットプリントヘッドにおいて、実施例１における方法に従って、いかなるセルラーゼも含有しなかった従来の洗浄液によって閉塞物質を除去することは可能でなかった。
【００６９】
本発明は、インクジェットプリントヘッドの閉塞したノズル、特に、紙粉及びインク残渣によって汚染されたものが、有効に洗浄される方法を提供する。特に、これまでに使用された方法によって再生することができなかったプリントヘッドでさえ、プリントヘッドを有効に再生することができる。結果として、プリントヘッドの耐用年数が改善される。さらに、このタイプのプリントヘッドの動作は、より費用効果的である。
【００７０】
上述した構成及び展開を、適切な場合、何らかの形で組み合わせることができる。本発明のさらに可能な構成、展開及び実施もまた、実施形態に関して上述され又は以下に記載された本発明の特徴の組合せを含むが、これらの組合せは、明示的には述べられていない。特に、当業者は、本発明のそれぞれの基本形式へ、改善又は付加として、個々の態様を追加するであろう。
【符号の説明】
【００７１】
１０  記録媒体、ペーパーウェブ
１２  プリントヘッド
１４  インク貯蔵容器
１６  ポンプ
１８  バッファリング容器
２０  フィルタ
２２  ポンプ
２４  分配タンク
２６  脱気デバイス
２８  脱気ポンプ
３０  中間インク容器
３１  インク入口ライン
３２  インク出口ライン
３９  レベルセンサ
４０  圧力ポンプ
４１  制御デバイス
４２  評価デバイス
４３  磁気弁
４４  走査デバイス
４５  走査デバイス
【図１】
2013241011.tif 000003
【外国語明細書】
2013241011000001.pdf
2013241011000002.pdf
2013241011000003.pdf
2013241011000004.pdf